(57)【要約】  【課題】  工場等の大空間の内部において、独立した空間を確保し、内部に設置した電子機器等を塵埃等から隔離し、かつ電気用・通信用などの配線を簡潔に収容することが可能な独立空間構成用設備を提供する。  【解決手段】  独立空間構成用設備１は、複数の支柱４と、支柱４の上端部４ａで、隣り合う支柱４の間を係合する複数の梁材５と、支柱４の下端部４ｂで、隣り合う支柱４の間で床面３の上に設置され、内空６ａに配線ケーブル５２を収容可能な床枠６と、支柱４と梁材５と床枠６とで囲まれる壁面に設置され、複数の壁パネル１９で構成される壁部材７と、梁材５で囲まれる天井面に設置され、複数の天井パネル４６で構成される天井部材８とを備え、壁パネル１９の少なくとも１箇所は、開閉可能なドア部３３と、配線ケーブル５２、配電盤４１などが設置可能な配電部３４とで構成されるドアパネル３２である。【選択図】      図１
2006257804.tif 000002
【特許請求の範囲】
【請求項１】
大空間の内部に設置する独立空間構成用設備であって、
所定の設置位置に建て込まれる複数の支柱と、
該支柱の上端部で、隣り合う前記支柱間を係合する複数の梁材と、
前記支柱の下端部で、隣り合う前記支柱間に設置され、電気用・通信用などの配線を内部に収容可能な複数の床枠と、
前記支柱と前記梁材と前記床枠とで囲まれる壁面に設置される壁パネルで構成される壁部材と、
前記梁材で囲まれる天井面に設置される天井パネルで構成される天井部材とを備えることを特徴とする独立空間構成用設備。
【請求項２】
請求項１に記載の独立空間用構成用設備において、
前記壁部材は複数の前記壁パネルで構成されることを特徴とする独立空間構成用設備。
【請求項３】
請求項１または請求項２に記載の独立空間構成用設備において、
前記壁パネルの少なくとも１箇所が、開閉可能なドア部と電気用・通信用などの配線部材が設置可能な配電部とで構成されるドアパネルであることを特徴とする独立空間構成用設備。
【請求項４】
請求項３に記載の独立空間構成用設備において、
前記ドアパネルの前記ドア部は、該ドア部が設置される位置の上方の前記梁材に設けられるスライド機構と、
該スライド機構に吊持され、前記梁材の長手方向に移動自在な引き戸パネルとで構成されていることを特徴とする独立空間構成用設備。
【請求項５】
請求項１から請求項４のいずれかに記載の独立空間構成用設備において、
前記天井部材は、対向する梁材に係合される天井梁と、
格子状に形成され、複数連結可能なクロスティーと、
前記天井梁に前記クロスティーを係合させて、吊下げるハンガーとを備え、
前記クロスティーの複数の格子枠内の各々に、１枚ずつ前記天井パネルが設置されることを特徴とする独立空間構成用設備。
【請求項６】
請求項１から請求項５のいずれかに記載の独立空間構成用設備において、
前記壁パネル及び前記天井パネルは、吸音パネルで形成されていることを特徴とする独立空間構成用設備。
【請求項７】
請求項１から請求項６のいずれかに記載の独立空間構成用設備において、
前記支柱及び前記床枠には、前記支柱の上端及び床枠の上面の高さを調整することが可能なアジャスターが設けられていることを特徴とする独立空間構成用設備。
【請求項８】
請求項１から請求項７のいずれかに記載の独立空間構成用設備において、
前記支柱は略矩形の断面を有し、該断面を形成する四面すべてに壁パネル、梁材等が接続可能な同形状の嵌合部が形成されていることを特徴とする独立空間構成用設備。
【発明の詳細な説明】
【技術分野】
【０００１】
本発明は、大空間の内部に独立した空間を確保する独立空間構成用設備に関する。より詳しくは、イベント会場や工場などの大空間内において、オフィスブースとして電子機器等を塵埃等から隔離、あるいは外部と隔離可能にする独立空間構成用設備に関する。
【背景技術】
【０００２】
従来、オフィス空間内では、業務目的に応じて、間仕切りなどによってオフィスブースが形成されている。従来のオフィスブースを形成するものとしては、天井や二重床下に敷設された電源ケーブルや信号ケーブル等を収容した柱状体と横杆体で形成される枠体を備えたオフィス構成用設備が知られている（例えば特許文献１参照）。これは、オフィスワークにおいて、複数の机を配置した際に、机上のパーソナルコンピュータ、ＦＡＸ、プリンタといった電子通信機器の配線を表面に出すことなく、簡潔にオフィスブースを形成するためのオフィス構成用設備である。
【特許文献１】特開２００３−１８０４５４号公報
【発明の開示】
【発明が解決しようとする課題】
【０００３】
しかしながら、従来のオフィス構成用設備は、複数の机の電源ケーブルや信号ケーブル等の配線を煩雑にならないように柱状体及び横杆体に収容するのみで、独立した閉空間を形成することができなかった。このため、工場の内部など塵埃等から電子通信機器を隔離する必要がある場合、展示場などの多数の人がいる中で、打ち合わせを行う場所を用意する必要がある場合等に、独立性及び機密性を確保できない問題があった。
【０００４】
この発明は、上述した事情に鑑みてなされたものであって、イベント会場や工場等の大空間の内部において、独立した空間を確保し、また内部に設置した電子機器等を塵埃等から隔離し、かつ電気用・通信用などの配線を簡潔に収容することが可能であると共に、移設が容易な独立空間構成用設備を提供する。
【課題を解決するための手段】
【０００５】
上記課題を解決するために、この発明は以下の手段を提案している。
請求項１に係る発明は、大空間の内部に設置する独立空間構成用設備であって、所定の設置位置に建て込まれる複数の支柱と、該支柱の上端部で、隣り合う前記支柱間を係合する複数の梁材と、前記支柱の下端部で、隣り合う前記支柱間に設置され、電気用・通信用などの配線を内部に収容可能な複数の床枠と、前記支柱と前記梁材と前記床枠とで囲まれる壁面に設置される壁パネルで構成される壁部材と、前記梁材で囲まれる天井面に設置される天井パネルで構成される天井部材とを備えることを特徴としている。
【０００６】
この発明に係る独立空間構成用設備によれば、独立空間構成用設備を構成する支柱、梁材、床枠、壁部材、天井部材と、独立空間構成用設備を設置する大空間の床面とで、独立空間構成用設備の内部は閉合されているので、独立性及び機密性を確保することができる。また、照明あるいは独立空間構成用設備の内部に設置される電子機器等の配線を床枠の内部に収容することができる。
【０００７】
請求項２に係る発明は、請求項１に記載の独立空間用構成用設備において、前記壁部材は複数の前記壁パネルで構成されることを特徴としている。
この発明に係る独立空間構成用設備によれば、壁パネルの設置枚数を変えることで、独立空間構成用設備の平面寸法を自在に変更することができる。
【０００８】
請求項３に係る発明は、請求項１または請求項２に記載の独立空間構成用設備において、前記壁パネルの少なくとも１箇所が、開閉可能なドア部と電気用・通信用などの配線部材が設置可能な配電部とで構成されるドアパネルであることを特徴としている。
この発明に係る独立空間構成用設備によれば、少なくとも1箇所は必要である開閉可能なドア部と、配電盤を設置する箇所及び独立空間構成用設備の上部と下部を連絡する配線ケーブルを収容する配電部とを1枚のパネルにすることができる。このため、ドアパネルを除いたその他のすべての壁パネルは、設備の設置する位置などにとらわれることなく、自由に使用目的に応じて、ガラスパネル、木製パネル、金属パネル、クロス張りパネルなどにすることができる。
【０００９】
請求項４に係る発明は、請求項３に記載の独立空間構成用設備において、前記ドアパネルの前記ドア部は、該ドア部が設置される位置の上方の前記梁材に設けられるスライド機構と、該スライド機構に吊持され、前記梁材の長手方向に移動自在な引き戸パネルとで構成されていることを特徴としている。
この発明に係る独立空間構成用設備によれば、ドア部の引き戸パネルは、設置される位置の上方の梁材に設けられているスライド機構により、梁材の長手方向に移動可能な引き戸となる。梁材にスライド機構を設けることで、大空間の床面に、引き戸パネルのスライド機構及び引き戸パネルを固定する冶具等を設ける必要が無い。このため、大空間の床面にレール等を設置する必要もないので、自由に設置位置を決定できる。
【００１０】
請求項５に係る発明は、請求項１から請求項４のいずれかに記載の独立空間構成用設備において、前記天井部材は、対向する梁材に係合される天井梁と、格子状に形成され、複数連結可能なクロスティーと、前記天井梁に前記クロスティーを係合させて、吊下げるハンガーとを備え、前記クロスティーの複数の格子枠内の各々に、１枚ずつ前記天井パネルが設置されることを特徴としている。
【００１１】
この発明に係る独立空間構成用設備によれば、天井パネルは天井梁とハンガーとクロスティーによって保持されるので、空間の広さに対して必要とされる天井の強度と関係なく、様々な材質のパネルを選択することができる。また、複数の格子枠内の各々に１枚ずつ天井パネルを設置する方法としているので、天井パネルの設置枚数を変えることで、自由に独立空間構成用設備の平面寸法を変更することができる。また、所定の天井位置に照明を設置したい時、空調設備を設けたい時などに、所定位置の天井パネルのみを取り外し、設備を設置すればよいので合理的である。
【００１２】
請求項６に係る発明は、請求項１から請求項５のいずれかに記載の独立空間構成用設備において、前記壁パネル及び前記天井パネルは、吸音パネルで形成されていることを特徴としている。
この発明に係る独立空間構成用設備によれば、壁部材及び天井部材を構成する壁パネル及び天井パネルが吸音パネルで形成されることで、独立空間構成用設備の内部の音が外部に漏洩することが無い。このため、独立空間構成用設備の機密性がさらに高まる。
【００１３】
請求項７に係る発明は、請求項１から請求項６のいずれかに記載の独立空間構成用設備において、前記支柱及び前記床枠には、前記支柱の上端及び床枠の上面の高さを調整することが可能なアジャスターが設けられていることを特徴としている。
この発明に係る独立空間構成用設備によれば、支柱及び床枠にアジャスターが設けられていることで、アジャスターで高さ調整をすれば、設置される大空間の床面に傾斜があるかどうかに関係無く、梁材と床枠を水平に設置することができる。また、梁材と壁パネルとの間に隙間が生じなくて済む。
【００１４】
請求項８に係る発明は、請求項１から請求項７のいずれかに記載の独立空間構成用設備において、前記支柱は略矩形の断面を有し、該断面を形成する四面すべてに壁パネル、梁材等が係合可能な同形状の嵌合部が形成されていることを特徴としている。
この発明に係る独立構成用設備によれば、支柱のどの位置においても、梁材及び壁パネルを係合することができるので、梁材を２スパン分設ける２連棟、千鳥状に設ける方法など自由に複数の独立空間を構成することができる。
【発明の効果】
【００１５】
本願発明によれば、支柱と梁材と床枠と壁部材と天井部材とを備えた独立空間構成用設備によって、大空間の内部に独立性と機密性が確保される空間を形成することができる。また、独立空間構成用設備の内部で使用する電子機器等の配線は、独立空間構成用設備の外部からドアパネルの配電部を経由して、床枠の内部に所定の位置まで配線することができるので、配線を簡潔に収容することができる。さらに、複数の壁パネル、天井パネルで構成されるので、用途に応じて自在に独立空間構成用設備の平面寸法の変更や、壁パネル、天井パネルの仕様を変更することができる。さらには、複数の独立空間構成用設備を連結させて、自在なオフィスブースの形成を可能にさせる。
【発明を実施するための最良の形態】
【００１６】
図１から図１２は、この発明に係る実施形態を示している。図１はこの実施形態の全体斜視図である。図２から図４は組立図を表している。また、図５は支柱と梁材の取り付けの詳細、図６、図７はドアパネル部分における詳細の縦断面及び平断面をそれぞれ表している。図８は支柱と床枠との取り付け部分の詳細を表している。
図１に示すように、この実施形態は、独立空間構成用設備１を２つ並列に連結した２連棟タイプについて説明している。独立空間構成用設備１は、大空間２の床面３に設置される。独立空間構成用設備１は、複数の支柱４と、支柱４の上端部４ａで、隣り合う支柱４の間を係合する複数の梁材５と、支柱４の下端部４ｂで、隣り合う支柱４の間で床面３の上に設置される床枠６と、支柱４と梁材５と床枠６とで囲まれる壁面に設置される壁部材７と、梁材５で囲まれる天井面に設置される天井部材８とを備えている。
【００１７】
図５に示すように、支柱４は、略矩形の断面を有し、この断面を形成する４つの外面４ｃすべてに、梁材５及び壁部材７が係合可能な同形状の嵌合部９が形成されている。また、図８に示すように、支柱４の下端部４ｂの内部４ｄには、支圧板１０と、支圧板１０の下面１０ａと床面３とに当接されるポストアジャスター１１が設けられている。ポストアジャスター１１は例えばねじ式で、ねじ機構により上下に伸縮自在になるものである。
【００１８】
図５、図６に示すように、梁材５は、略矩形の断面を有し、側面部５ａ、上面部５ｂ及び下面部５ｃのそれぞれには、支柱４、壁部材７、天井部材８と接続可能な嵌合部１２、１３、１４が形成されている。
【００１９】
図６に示すように、床枠６は、２つのコの字形の部品の支持部１５と基礎部１６とを対向させて重ね合わせることにより、略矩形の断面を有している。支持部１５と基礎部１６とで形成される床枠６の内空６ａには、独立空間構成用設備１の内部１ａに設置する電子機器等（不図示）の配線が収容可能になっている。また、床枠６の上面部６ｂには壁部材７を嵌合する嵌合部６ｃが形成されている。また、図８に示すように、必要に応じて、コンセント１７を設けて、独立空間構成用設備１の内部１ａの電子機器等（不図示）や電気製品等（不図示）と床枠６の内空６ａの配線ケーブル５２とを接続することができる。対向する支持部１５の下面１５ａと基礎部１６の上面１６ａとの間には、複数のパネルアジャスター１８が設けられている。パネルアジャスター１８はポストアジャスター１１と同様に上下に伸縮自在になるものである。
【００２０】
図１に示すように、壁部材７は、複数の壁パネル１９と壁パネル１９を連結する連結材２０とで構成される。壁パネル１９は、以下のように、使用目的に応じて様々なパネルに対応可能である。図１及び図３に示すように、この実施形態の独立空間構成用設備１では、鉛直方向に1枚で設置可能な高さを有し、吸音効果を有する大型吸音パネル２１、鉛直方向に1枚で設置可能な高さを有する大型ガラスパネル２２、鉛直方向及び横方向に複数枚配列する小型ガラスパネル２３を使用している。大型吸音パネル２１の材質としては、例えばウレタンスポンジを介在させたもの、軽量コンクリート系、アルミ不織布、セルロースファイバー等がある。大型ガラスパネル２２及び小型ガラスパネル２３はいずれも、それぞれガラス板２４、２５と、縦ガラス枠２６、２７と、横ガラス枠２８、２９と、ガスケット３０、３１とで構成されている。
【００２１】
また、複数の壁パネル１９のうち少なくとも１枚には、ドアパネル３２が設置される。ドアパネル３２は、ドア部３３と配電部３４とを備えている。図６、図７に示すように、ドア部３３は引き戸パネル３５と、ドア部３３の上方に位置する梁材５に設けられ、引き戸パネル３５を上方に吊持し、梁材５の長手方向に引き戸パネル３５を移動自在にさせるスライド機構３６とを備えている。スライド機構３６は、より具体的には、梁材５の側面５ａに長手方向に延設されるレール３７と、レール３７上を移動可能な車輪３８と、引き戸パネル３５と車輪３８とを固定する固定金具３９とで構成されている。配電部３４は、独立空間構成用設備１の上部１ｂと下部１ｃとを連通する内空３４ａを有し、内空３４ａの配線ケーブル５２を点検可能な点検扉４０、配電盤４１などが設置可能な設備パネル４２が形成されている。
【００２２】
図１、図４に示すように、天井部材８は、対向する梁材５に係合される天井梁４３と、格子状に形成され、複数連結可能なクロスティー４４と、天井梁４３にクロスティー４４を係合させて、吊下げるハンガー４５とを備え、クロスティー４４で形成される複数の格子枠内の各々に天井パネル４６が設置されている。天井パネル４６は、使用目的に応じて様々なパネルに対応可能である。例えば、吸音パネルやガラスパネルなどが用いられる。吸音パネルの材質は、前述の壁パネル１９として使用する吸音パネル２１と同様な材質が用いられる。
【００２３】
次に、独立空間構成用設備１の組立方法について説明する。図２から図４は、組立図を組立順に表し、図１はその完成斜視図を表している。図２に示すように、まず大空間２の床面３の所定位置Ｐに必要な本数の支柱４を建て込む。次に、支柱４の上端部４ａで、隣り合う支柱４同士と梁材５を係合する。図５に示すように、支柱４と梁材５は、接合プレート４７とボルト４８で固定する。支柱４の外面４ｃは、どの面においても、接合プレート４６を用いて梁材５を係合することが可能な嵌合部９が形成されている。このため、支柱４がどのような向きでも梁材５を係合することが可能である。また、１本の支柱４について４方向すべてに、梁材５を係合することが可能である。このため、様々な形状に支柱４と梁材５を組立することが可能である。この際、大空間２の床面３が水平な面でないと、梁材５を水平に設置することができない。しかし、図８に示すように、支柱４の下端部４ｂの内部４ｄには、ポストアジャスター１１が設けられているので、ポストアジャスター１１を伸縮させることで、支柱４の上端部４ａの高さを調節して、梁材５を水平にすることができる。
【００２４】
支柱４と梁材５を調節して、鉛直、水平に組立を完了した後、床枠６と壁部材７を構築する。図３に示すように、まず床枠６を隣り合う支柱４の間で床面３の上に敷設する。次に、梁材５の長さに応じて、必要な枚数の壁パネル１９を床枠６の上面部６ｂの嵌合部６ｃと梁材５の下面部５ｃの嵌合部１４に嵌合させて、設置する。より詳細には、図３に示すように、鉛直方向に1枚で設置可能な高さを有する大型吸音パネル２１の場合は、両側縁部２１ａに溝４９が形成されていて、溝４９に連結材２０を嵌合させる。次に、嵌合した連結材２０を設置済みの隣り合う大型吸音パネル２１の溝４９にも嵌合させて、大型吸音パネル２１同士を連結させる。また、鉛直方向に1枚で設置可能な高さを有する大型ガラスパネル２２の場合は以下のようにして設置する。まず、略矩形のガラス板２４の４辺に、ガスケット３０を嵌め込む。次に、ガラス板２４のガスケット３０を嵌め込んだ外側から、縦方向には縦ガラス枠２６、横方向には横ガラス枠２８を嵌め込む。このようにして組立てられた大型ガラスパネル２２同士を、縦ガラス枠２６の側縁部２６ａの溝５０で、大型吸音パネル２１と同様に、連結材２０と嵌合させて接続することができる。さらに、鉛直方向及び横方向に複数枚配列する小型ガラスパネル２３の場合は以下のようにして設置する。まず、小型ガラスパネル２１を組立てて、大型ガラスパネル２２と同じ大きさにする。略矩形のガラス板２５の各々の４辺にガスケット３１を嵌め込む。次に、ガスケット３１を嵌めこんだ複数のガラス板２５を縦に複数配置して、横ガラス枠２９で連結する。横ガラス枠２９で連結したガラス板２５に縦ガラス枠２７を嵌め込めば、大型ガラスパネル２２と同じ大きさの小型ガラスパネル２３が完成する。この小型ガラスパネル２３を大型ガラスパネル２２と同様に連結材２０で接続することで、壁部材７を構成する。このようにして、様々な種類の壁パネルについて、床枠６と壁部材７を構築することができる。図９から図１１は、この実施形態で実施している壁パネルの配置パターンを表しているが、例えば図１２のように、小型の吸音パネル５３を使用しても良い。
【００２５】
しかし、大空間２の床面３が水平な面でないと、床枠６と梁材５は平行にならないので、床枠６の上に設置した壁パネル１９と梁材５との間には隙間が生じてしまう。この際には、床枠６の内空６ａにパネルアジャスター１８が設けられているので、パネルアジャスター１８を伸縮させて調整する。パネルアジャスター１８を伸縮させると、床枠６の支持部１５の高さを調整することができるので、梁材５の下面５ｃと床枠６の上面６ｂを平行にして、隙間無く壁パネル１９を設置することができる。また、連結された壁パネル１９によって構成される壁部材７の側端部７ｂは、連結材２０で支柱４の嵌合部９に嵌合されて、支柱４と連結する。さらに、壁部材７の上端部７ｂは、梁材５の下面部５ｃの嵌合部１４に嵌合され、壁部材７の下端部７ｃは、床枠６の上面部６ｂの嵌合部６ｃに嵌合され、梁材５と床枠６とに連結する。以上のような壁パネル１９を使用することで、独立空間構成用設備１の平面寸法を壁パネル１９の枚数で自在に変化させることができる。また、その使用目的に応じて、吸音パネルを使用すれば、独立空間構成用設備１の内部１ａの機密性を高めることができる。また、ガラスパネルを使用すれば、外部の明かりを採光することもできる。あるいは、外部からの音を防ぐために防音パネルを使用しても良いし、景観性を高めるためにクロス張りパネルや木製パネル、金属、特殊な物として発熱ガラス（露結防止）を使用しても良い。また、用途に応じてその都度壁紙等を貼り替えるようにして利用者の要望に合わせることも可能である。また、壁パネル１９は、断熱効果を有するものであってもよく、その場合セラミックファイバーやセルロースファイバー等を材質とすればよい。さらに、壁パネル１９の規定内で開閉可能な窓（不図示）を設けるようにしてもよい。構造的要件は支柱４及び梁材５で確保しているので、自由にその目的に応じて壁パネル１９の仕様を変えることができる。さらに、壁パネル１９に合わせて支柱４や梁材５や床枠６を同一材質のパネルで覆ってもよく、外観全体を統一することも可能である。このように壁紙等でパネル等の表面を加工することにより、当該独立空間構成用設備１をレンタルする場合にも、常に利用者の要望に応えることが出来るようになる。
【００２６】
また、図６、図７に示すように、複数設置する壁パネル１９のうち、少なくとも１箇所は、ドアパネル３２を設置して、独立空間構成用設備１の内外を出入りできるようにする。まず、ドアパネル３２の上方に位置する梁材５の側面５ａにレール３７を延設する。延設する際は、梁材５の側面５ａに形成される嵌合部１２に係合する。次に、引き戸パネル３５の上縁部３５ａに固定用金具３９を固定する。さらに、固定用金具３９の引き戸パネル３５を固定した一端部３９ａと反対側の他端部３９ｂに車輪３８を取付ける。この状態で、車輪３８をレール３７の上に載置して、引き戸パネル３５を吊り上げた状態にする。このようにして、床の構造と関係無く、自由な設置位置で、レール３７上を移動自在なドア部３３を設置することができる。また、引き戸パネル３５の移動後方には引き戸パネル３５の開放時の戸あたり５１が床枠６に設置されている。また、ドアパネル３２には、ドア部３３に隣接して、配電部３４が設けられる。配電部３４は前述の配電盤４１などの設置箇所であるとともに、引き戸パネル３５の閉鎖時の戸あたりとしての機能も有する。独立空間構成用設備１の壁部材７に必要とさる出入り口部と配線設備をドアパネル１箇所に設けることによって、前述のようにその他の壁パネル１９は、使用目的に応じて自由に仕様を設定することができるようになる。
【００２７】
次に、天井部材８を設置する。図４に示すように、まず対向する梁材５の側面５ａに天井梁４３の両端４３ａを係合する。係合する際は、梁材５の側面５ａと上面５ｂに形成される嵌合部１２、１３を利用する。次に、クロスティー４４を格子枠状に組立てる。格子枠状に組立てたクロスティー４４をハンガー４５によって、天井梁４３に吊り下げる。この吊り下げられたクロスティー４４の格子枠の中に天井パネル４６を敷設して、天井が形成される。天井の構造要件としては天井梁４３で確保しているので、天井パネル４６自体は格子枠内に敷設可能な強度を満足さえしていれば良い。このため、上述の吸音パネルや、ガラスパネルなど様々な使用目的に応じて選択することが可能である。また、複数の格子枠内の各々に１枚ずつ天井パネルを設置して構成されるので、天井パネルの配列枚数を変えることによって自由に独立空間構成用設備１の平面寸法を変えることができる。また、所定の箇所に照明や空調設備を設けたい時、電源を設けたい時、天井パネルを加工しなくても、格子枠の１箇所を変更するだけで対応することができる。
【００２８】
大空間２から独立空間構成用設備１の内部１ａに電気用・通信用の配線ケーブル５２を配線する際は以下のようにして行う。図１に示すように、大空間２の上方より、独立空間構成用設備１の上部１ｂに配線する。次に、独立空間構成用設備１の上部１ｂに配線された配線ケーブル５２は、ドアパネル３２の配電部３４の内空３４ａに配線されて、設備パネル４２に設置された配電盤４１に接続される。この配電盤４１より、独立空間構成用設備１の内部の端末に配線される。照明あるいはコンセントを天井に設けたい場合などは、再び配電部３４の内空３４ａを経由して、独立空間構成用設備１の上部１ｂへ配線される。床枠６のコンセント１７に接続した場合などは、配電部３４の内空３４ａを経由して、床枠６の内空６ａに配線して、床枠６の所定の場所に設置されたコンセント１７に接続すればよい。独立空間構成用設備１の内部１ａの電子機器等（不図示）の直近の位置にコンセント１７を設置すれば、配線ケーブル５２の露出を最小限にすることができる。また、配線元が大空間２の床面３にある場合も同様で、床枠６の内空６ａに配線ケーブル５２を挿入して、配電盤４１に接続した後に、同様の配線方法をすれば良い。いずれの方法においても、独立空間構成用設備１の上部１ｂ、ドアパネル３２の配電部３４、床枠６に配線ケーブル５２を収容することができるので、配線が表面に出ることが無い。
【００２９】
独立空間構成用設備１の組立方法、配線方法について説明したが、上述のように、設置される大空間２の床面３の状況に関係無く、床面３の上に直接設置して、壁面と天井面を形成し、空間を閉合することができる。このため、独立空間構成用設備１の内部１ａを塵埃等から隔離可能であり、独立空間構成用設備１の独立性、機密性を確保できる。また、壁パネル１９及び天井パネル４６を様々な材質のパネルにすることができるので、内部の音が漏洩しないようにしたい時、外部の明かりを取り込みたい時、あるいは外部からの音を遮断したい時など、その目的に応じて、吸音パネルやガラスパネルなどを使用することで、自在に対応することができる。また、支柱４の四面すべてに、梁材５、壁部材７を係合することができる嵌合部９が形成されているので、この実施形態で示した２連棟の他にも、千鳥状に二つの独立空間構成用設備を連結したり、四つの独立空間構成用設備を正方状に連結したり、使用目的、規模に応じて、様々な組み合わせが可能である。また、上述のように独立空間構成用設備の仕様が変化しても、独立空間構成用設備を構成する各部品は変化しないので、各部品を規格化することができる。このため、構築の際は、部品の種類を最小限にすることができるので、レンタルによる方法にも適した構造である。また、構造が非常に簡易なので、供用期間が短期で移転するような場合でも、組立、解体が容易なので適している。さらに、上述したように当該独立空間構成用設備１の内部に換気扇や空調設備等を設けてもよいが、壁パネル１９や天井パネル４６に換気孔を設けて構成してもよい。
【００３０】
以上、本発明の実施形態について図面を参照して詳述したが、具体的な構成はこの実施形態に限られるものではなく、本発明の要旨を逸脱しない範囲の設計変更等も含まれる。
【００３１】
なお、ポストアジャスター１１、パネルアジャスター１８について、ねじ機構により伸縮自在としたが、これに限らず伸縮自在でかつ固定可能な機構を具備していれば良く、例えば２部材を上下に伸縮可能に組み合わせて、所定の位置でピン止めする方法としても良い。また、独立空間構成用設備１は大空間２の床面３に直接設置されるものとしたが、床パネル、カーペットなどを敷設するものとしても良い。さらに、独立空間構成用設備１の出入り口としては、ドアパネル３２を設置するものとしたが、例えば独立空間構成用設備１の一側面をシャッターパネルとして、ガレージ等に使用するものとしても良い。
【図面の簡単な説明】
【００３２】
【図１】この発明の実施形態の独立空間構成用設備を示す全体斜視図である。
【図２】この発明の実施形態の独立空間構成用設備を示す組立図である。
【図３】この発明の実施形態の独立空間構成用設備を示す組立図である。
【図４】この発明の実施形態の独立空間構成用設備を示す組立図である。
【図５】この発明の実施形態の独立空間構成用設備の支柱と梁材の取り付け詳細を示す斜視図である。
【図６】この発明の実施形態の独立空間構成用設備のドアパネル部の縦断面図である。
【図７】この発明の実施形態の独立空間構成用設備のドアパネル部の平断面図である。
【図８】この発明の実施形態の独立空間構成用設備の支柱と床枠の取り付け詳細を示す側面図である。
【図９】この発明の実施形態の独立空間構成用設備の壁パネルの設置例を示す側面図である。
【図１０】この発明の実施形態の独立空間構成用設備の壁パネルの設置例を示す側面図である。
【図１１】この発明の実施形態の独立空間構成用設備の壁パネルの設置例を示す側面図である。
【図１２】この発明の実施形態の独立空間構成用設備の壁パネルの設置例を示す側面図である。
【符号の説明】
【００３３】
１  独立空間構成用設備
２  大空間
３  床面
４  支柱
４ａ  上端部
４ｂ  下端部
４ｃ  外面
５  梁材
６  床枠
６ａ  内空
７  壁部材
８  天井部材
９  嵌合部
１１  ポストアジャスター
１８  パネルアジャスター
１９  壁パネル
３２  ドアパネル
３３  ドア部
３４  配電部
３５  引き戸パネル
３６  スライド機構
４１  配電盤
４３  天井梁
４４  クロスティー
４５  ハンガー
４６  天井パネル
【図１】
2006257804.tif 000003
【図２】
2006257804.tif 000004
【図３】
2006257804.tif 000005
【図４】
2006257804.tif 000006
【図５】
2006257804.tif 000007
【図６】
2006257804.tif 000008
【図７】
2006257804.tif 000009
【図８】
2006257804.tif 000010
【図９】
2006257804.tif 000011
【図１０】
2006257804.tif 000012
【図１１】
2006257804.tif 000013
【図１２】
2006257804.tif 000014